(57)【要約】【課題】映像表示機器において、ユーザが、外部再生機器に光ディスクの再生を指示した場合でも、光ディスクの装着済みを容易に知ることを可能にする。【解決手段】ディスプレイとＢＤローダとを備えるＴＶ受像機と、ＢＤプレーヤとは、ＨＤＭＩケーブルを介して接続されている。ＢＤプレーヤが再生指示を受信すると（Ｓ１）、ＴＶ受像機に対して電源オンを指示するＣＥＣコマンドを送信する（Ｓ２）。ＴＶ受像機は、ＢＤローダにＢＤディスクが装着されているか検出し（Ｓ３）、ＢＤディスクが装着されており（Ｓ４でＹＥＳ）、ディスプレイに重畳映像を表示できる場合（Ｓ５でＹＥＳ）、ＢＤディスクから読み出したコンテンツ映像をディスプレイに表示する（Ｓ６）。そして、ＴＶ受像機は、このＢＤディスクを排出するか選択を促すメッセージを表示し（Ｓ７）、「はい」が選択された場合（Ｓ８でＹＥＳ）、ＢＤディスクを排出する（Ｓ９）。【選択図】図３
2012119839.tif 000002
【特許請求の範囲】
【請求項１】
光ディスクを再生して、この光ディスクのコンテンツデータを供給する外部再生機器と接続され、
前記外部再生機器との間で、前記コンテンツデータの受信と、制御プロトコルに基づく制御コマンドの送受信とを行うための送受信手段と、
前記コンテンツデータの映像と各種メッセージとを含む映像を表示する表示手段と、
各種メッセージをユーザに報知する報知手段と、
光ディスクが内部に装着され、該光ディスクからコンテンツデータを読み出すディスク装着部と、
装置各部を制御する制御手段とを備える映像表示機器において、
前記ディスク装着部に光ディスクが装着されているか否かを検出するディスク装着検出手段をさらに備え、
前記制御手段は、前記外部再生機器によって供給される光ディスクのコンテンツデータの映像を前記表示手段に表示する旨の制御コマンドを該外部再生機器から受信したときに、前記ディスク装着検出部によって前記ディスク装着部に光ディスクが装着されていると検出された場合、前記報知手段を用いてユ−ザに、前記ディスク装着部に光ディスクが装着されている旨を報知することを特徴とする映像表示機器。
【請求項２】
前記制御手段は、前記光ディスクのコンテンツデータの映像を前記表示手段に表示する旨の制御コマンドを前記外部再生機器から受信したときに、前記ディスク装着検出手段によって前記ディスク装着部に光ディスクが装着されていると検出された場合、前記ディスク装着部に装着されている光ディスクを再生して、この光ディスクのコンテンツデータの映像を前記表示手段に表示することを特徴とする請求項１に記載の映像表示機器。
【請求項３】
前記制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）であることを特徴とする請求項１又は請求項２に記載の映像表示機器。
【発明の詳細な説明】
【技術分野】
【０００１】
本発明は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に対応した外部機器を接続可能な映像表示機器に関する。
【背景技術】
【０００２】
近年、ＨＤＭＩ規格に対応した外部機器（以下、ＨＤＭＩ機器という）を接続可能なＴＶ受像機が普及している。ＨＤＭＩ機器とＴＶ受像機とは、ＨＤＭＩケ−ブルを介して接続され、互いに制御信号（以下、ＣＥＣコマンドという）によって動作の制御を行う。例えば、ＴＶ受像機がプレーヤ機器（ＨＤＭＩ機器）から電源オンやコンテンツの表示等を指示するＣＥＣコマンドを受信すると、ＴＶ受像機は、このＣＥＣコマンドの指示内容に基づいて動作を行う。
【０００３】
ところで近年、上記従来のＴＶ受像機において、光ディスクドライブを内蔵したＴＶ受像機（以下、内蔵型ＴＶ受像機という）が普及している。この種の内蔵型ＴＶ受像機は、内蔵した光ディスクドライブで再生したコンテンツを表示することができる。また、この内蔵型ＴＶ受像機は、従来のＴＶ受像機と同様に、ＨＤＭＩケーブルを介してプレーヤ機器から供給されたコンテンツを表示することもできる。すなわち、ユーザは内蔵型ＴＶ受像機又はプレーヤ機器のいずれでも光ディスクを再生させることができる。しかしながら、既に装着済みの光ディスクを再生する場合、ユーザは、内蔵型ＴＶ受像機又はプレーヤ機器のどちらの機器に光ディスクを装着したのか忘れてしまうことがある。従って、プレーヤ機器に対して光ディスクの再生を指示した際に、所望のコンテンツが格納された光ディスクが内蔵型ＴＶ受像機に装着されていた場合、意図しないコンテンツが再生され、ユーザは所望のコンテンツを視聴できないことがある。また、そのような場合、ユーザは、所望のコンテンツが格納された光ディスクを探し出すために手間が掛かる。
【０００４】
これに対して、特許文献１には、電源キーがオンされたときに、マイクロプロセッサがＥＥＰＲＯＭに記憶されたディスク有無情報の内容に基づいて、ディスクが有る場合、「ディスクあり」のマークをモニタ画面上にＯＳＤ表示し、ユーザが誤ってＤＶＤを二重に挿入してしまうことを防ぐことができるＤＶＤプレーヤ内蔵ＴＶ受像機が開示されている。しかしながら、このＴＶ受像機では、ＤＶＤディスクが装着済みである旨を知ることができるが、ＴＶ受像機に接続された外部機器のディスクを再生する場合に、内蔵型ＴＶ受像機にディスクが装着済みである旨をユーザが知ることができないため、上記問題を解決できない。
【０００５】
また、特許文献２には、ＣＤプレーヤが電源オンされると、レシーバが内蔵メモリに記憶したディスク有無情報をＣＤプレーヤに送信し、ディスクが有る場合、ＣＤプレーヤのコントローラがディスク装填済を告知するために「ＤＩＳＣ」を表示部に表示させるオーディオシステムが開示されている。しかしながら、このオーディオシステムであっても、外部機器のディスクを再生する際に、内蔵型ＴＶ受像機にディスクが装着済みである旨をユーザが知ることができないため、上記問題を解決できない。
【先行技術文献】
【特許文献】
【０００６】
【特許文献１】特開２００６−３１４０１５号公報
【特許文献２】特開２０００−１３２９００号公報
【発明の概要】
【発明が解決しようとする課題】
【０００７】
本発明は、上述した問題点を解決するためになされたものであり、ユーザが外部再生機器に対して光ディスクの再生を指示した場合でも、映像表示機器側のディスク装着部への光ディスクの装着済みを容易に確認することができるようにして、ユーザが所望のコンテンツが格納された光ディスクを探し出す手間を低減でき、しかもディスク装着部に装着したディスクの取り忘れを防ぐことが可能な映像表示機器を提供することを目的とする。
【課題を解決するための手段】
【０００８】
上記目的を達成するために請求項１の発明は、光ディスクを再生して、この光ディスクのコンテンツデータを供給する外部再生機器と接続され、前記外部再生機器との間で、前記コンテンツデータの受信と、制御プロトコルに基づく制御コマンドの送受信とを行うための送受信手段と、前記コンテンツデータの映像と各種メッセージとを含む映像を表示する表示手段と、各種メッセージをユーザに報知する報知手段と、光ディスクが内部に装着され、該光ディスクからコンテンツデータを読み出すディスク装着部と、装置各部を制御する制御手段とを備える映像表示機器において、前記ディスク装着部に光ディスクが装着されているか否かを検出するディスク装着検出手段をさらに備え、前記制御手段は、前記外部再生機器によって供給される光ディスクのコンテンツデータの映像を前記表示手段に表示する旨の制御コマンドを該外部再生機器から受信したときに、前記ディスク装着検出部によって前記ディスク装着部に光ディスクが装着されていると検出された場合、前記報知手段を用いてユ−ザに、前記ディスク装着部に光ディスクが装着されている旨を報知するものである。
【０００９】
また、請求項２の発明は、請求項１に記載の映像表示機器において、前記制御手段は、前記光ディスクのコンテンツデータの映像を前記表示手段に表示する旨の制御コマンドを前記外部再生機器から受信したときに、前記ディスク装着検出手段によって前記ディスク装着部に光ディスクが装着されていると検出された場合、前記ディスク装着部に装着されている光ディスクを再生して、この光ディスクのコンテンツデータの映像を前記表示手段に表示するものである。
【００１０】
また、請求項３の発明は、請求項１又は請求項２に記載の映像表示機器において、  前記制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）である。
【発明の効果】
【００１１】
請求項１の発明によれば、外部再生機器によって供給される光ディスクのコンテンツデータの映像を表示する旨の制御コマンドを外部再生機器から受信したときに、ディスク装着部に光ディスクが装着されていると検出された場合、ユ−ザに、映像表示機器側のディスク装着部に光ディスクが装着されている旨を報知する。そのため、ユーザは、外部再生機器で光ディスクを再生する場合であっても、映像表示機器のディスク装着部に光ディスクが装着されているか否かを知ることができるので、光ディスクを探す手間を低減できる。また、映像表示機器のディスク装着部に装着された光ディスクの取り忘れを防止することができる。
【００１２】
請求項２の発明によれば、映像表示機器のディスク装着部に光ディスクが装着されていると検出された場合、この光ディスクを再生して、コンテンツデータの映像を表示する。そのため、ユーザが、どのようなコンテンツが格納された光ディスクがディスク装着部に装着されているのかを容易に確認することができるので、ユーザが、所望のコンテンツの格納された光ディスクを探す手間をさらに低減できる。
【図面の簡単な説明】
【００１３】
【図１】本発明の一実施形態に係るＴＶ受像機と、このＴＶ受像機に接続されたＢＤプレーヤとを含むホームネットワークシステムの概略構成図。
【図２】上記ＴＶ受像機と、上記ＢＤプレーヤとの内部構成を示すブロック図。
【図３】上記ＴＶ受像機におけるディスク装着検出処理の手順を示すフローチャート。
【図４】上記ＴＶ受像機のディスプレイに表示されるディスク排出選択メッセージの一例を示す説明図。
【図５】上記ＴＶ受像機のディスプレイに表示されるディスク排出選択メッセージの別の例を示す説明図。
【図６】上記ディスク装着検出処理におけるＣＥＣコマンド処理の手順を示すフローチャート。
【発明を実施するための形態】
【００１４】
以下、本発明の一実施形態に係るテレビジョン受像機（請求項における映像表示機器）について、図１及び図２を参照して説明する。図１は、テレビジョン（以下、ＴＶという）受像機２と、このＴＶ受像機２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたブルーレイディスク（以下、ＢＤという）プレーヤ（外部再生機器）３とを含むホームネットワークシステム１００の概略構成を示す。図２は、ＴＶ受像機２及びＢＤプレーヤ３の内部構成を示す。
【００１５】
ＴＶ受像機２、及びＢＤプレーヤ３は、いずれもＨＤＭＩに対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとを送受信可能である。
【００１６】
ＨＤＭＩケーブル４は、映像信号及び音声信号等の伝送ラインであるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）ラインと、ＣＥＣコマンドを双方向に伝送するための伝送ラインであるＣＥＣラインとを含むものである。
【００１７】
ＴＶ受像機２は、ＢＤディスク（光ディスク）ｄ１を内部に装着可能であり、装着したＢＤディスクｄ１を再生して、このＢＤディスクｄ１のコンテンツデータの映像や音声を出力することができる。ＢＤプレーヤ３は、ＢＤディスク（光ディスクｄ２）を内部に装着可能であり、装着したＢＤディスクｄ２を再生して、このＢＤディスクｄ２のコンテンツデータを、ＨＤＭＩケーブル４を介してＴＶ受像機２に供給する。
【００１８】
リモコン５は、再生ボタン（図示せず）や機器切替ボタン（図示せず）を含む複数のボタンを有し、ユーザによる操作に応じた赤外線信号をＴＶ受像機２及びＢＤプレーヤ３に送信することにより、ＴＶ受像機２及びＢＤプレーヤ３を操作するものである。機器切替ボタンは、ＴＶ受像機２又はＢＤプレーヤ３のいずれの機器に対して操作を行うかを指示するためのボタンである。具体的には例えば、ユーザが機器切替ボタンを操作してＢＤプレーヤ３の操作を選択した後に再生ボタンを操作すると、リモコン５は、ＢＤプレーヤ３の識別コードと、再生指示を示す命令コードとを含む赤外線信号を送信する。
【００１９】
ＴＶ受像機２は、図２に示すように、アンテナ２１に接続され、デジタル放送信号を受信するチューナ部２２と、デコーダ部２３と、映像を表示するディスプレイ（表示手段、報知手段）２４と、音声を出力するスピーカ２５と、ＢＤローダ（ディスク装着部）２６と、リモコン５から送信される赤外線信号を受信するリモコン信号受信部２７とを備える。また、ＴＶ受像機２は、ユーザによって操作される複数のボタンを有するキーパッド２８と、外部インタフェース（送受信手段）２９と、装置各部を制御するためのメインＩＣ（制御手段、ディスク装着検出手段）２０とをさらに備える。
【００２０】
チューナ部２２は、アンテナ２１を介して、放送局から配信される各チャンネルのデジタル放送信号を受信する。デジタル放送信号には、ＴＶ番組の映像信号及び音声信号と、配信されるＴＶ番組の放送開始時間や放送終了時間、ジャンル、番組タイトル、及び出演者等の番組情報とが含まれている。
【００２１】
デコーダ部２３は、チューナ部２２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２２】
映像デコード回路は、映像信号を含むＴＳパケットに対して復号化処理を行い、映像信号を抽出し、抽出した映像信号をメインＩＣ２０に出力する。音声デコード回路は、音声信号を含むＴＳパケットに対して復号化処理を行い、音声信号を抽出し、抽出した音声信号をメインＩＣ２０に出力する。
【００２３】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータをメインＩＣ２０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００２４】
ディスプレイ２４は、チューナ部２２によって受信されたＴＶ番組の映像や、ＢＤローダ２６によって読み出されたＢＤディスクｄ１のコンテンツデータの映像や、ＢＤプレーヤ３から供給されたコンテンツデータの映像を表示する。また、ディスプレイ２４は、ＢＤローダ２６によって読み出されたＢＤディスクｄ１のコンテンツデータの映像画面（子画面）と、ＢＤプレーヤ３から供給された映像画面（親画面）とを組み合わせた重畳映像を表示することもできる。親画面及び子画面に表示する映像は、ユーザによって任意に選択可能である。また、ディスプレイ２４は、ユーザに対して報知するための各種メッセージを表示することもできる。
【００２５】
スピーカ２５は、チューナ部２２によって受信されたＴＶ番組の音声や、ＢＤローダ２６によって読み出されたＢＤディスクｄ１のコンテンツデータの音声や、ＢＤプレーヤ３から供給されたコンテンツデータの音声を出力する。
【００２６】
ＢＤローダ２６は、ＢＤディスクｄ１に対してデータの読み出しを行う光ピックアップ（図示せず）と、ＢＤディスクｄ１を装置内部に搬送及び排出するための搬送ローラ（図示せず）と、この搬送ローラを駆動する搬送ローラ駆動部（図示せず）とを有する。ＢＤローダ２６は、コンテンツデータが格納されたＢＤディスクｄ１が内部に装着されると、光ピックアップを用いてＢＤディスクｄ１からコンテンツデータを読み出し、読み出したコンテンツデータをメインＩＣ２０に出力する処理を行う。ＢＤローダ２６とメインＩＣ２０とはＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を用いた通信を行う。
【００２７】
搬送ローラは、ＢＤディスクｄ１の装置内部への搬送、及びＢＤローダ２６内部に装着されたＢＤディスクｄ１の装置外部への搬送を行うものである。搬送ローラ駆動部は、ＢＤディスクｄ１をＢＤローダ２６内部に搬送する方向に搬送ローラを回転駆動させることができる。また、搬送ローラ駆動部は、例えばユーザがリモコン５を操作することによりディスクの排出が指示されると、ＢＤディスクｄ１をＢＤローダ２６から外部に排出する方向に搬送ローラを回転駆動させることができる。
【００２８】
リモコン信号受信部２７は、リモコン５から受信した赤外線信号を電気信号に変換してメインＩＣ２０に転送する。外部インタフェース２９は、ＨＤＭＩに対応した外部機器を接続するためのＨＤＭＩ端子（図示せず）やＵＳＢ端子（図示せず）等を有し、外部機器から受信したデータをメインＩＣ２０に転送する。上記のＨＤＭＩ端子には、ＢＤプレーヤ３と接続されたＨＤＭＩケーブル４の一端が接続されている。
【００２９】
メインＩＣ２０は、ディスプレイ２４に映像信号を出力する映像出力処理、スピーカ２５に音声信号を出力する音声出力処理、ＣＥＣコマンドによる通信を行う通信制御処理、ＢＤローダ２６から読み出されたコンテンツデータを再生する再生制御処理、及びディスク装着検出処理等を行う。また、メインＩＣ２０は、リモコン信号受信部２７から転送された電気信号に応じてＴＶ受像機２の装置各部を制御し、通常動作モード、及び受信待機モード等の複数の動作モードを有する。
【００３０】
受信待機モードは、チューナ部２２、デコーダ部２３、ディスプレイ２４、スピーカ２５、ＢＤローダ２６等の電源をオフにして、ＢＤプレーヤ３から送信されるＣＥＣコマンドやリモコン５から送信される赤外線信号を待ち受ける動作モードである。
【００３１】
メインＩＣ２０による通信制御処理は、ＢＤプレーヤ３に対して、ＨＤＭＩ−ＣＥＣに基づくＣＥＣコマンド及びレスポンスデータの送受信や、ＢＤプレーヤ３から送信された映像信号及び音声信号の受信を行うものである。ＣＥＣコマンドには、ＴＶ受像機２からＢＤプレーヤ３に対して、ＢＤプレーヤ３に装着されているＢＤディスクｄ２の再生を指示するもの等がある。
【００３２】
メインＩＣ２０によるディスク装着検出処理は、ＴＶ受像機２のＢＤローダ２６にＢＤディスクｄ１が装着されているか否かを検出する処理である。具体的には例えば、メインＩＣ２０が、ＢＤローダ２６を動作させてコンテンツデータを読み出すことができた場合、ＢＤローダ２６にＢＤディスクｄ１が装着されているものと検出する。
【００３３】
ＢＤプレーヤ３は、図２に示すように、ＨＤＭＩ端子３１と、リモコン信号受信部３２と、ＢＤローダ３３と、メインＩＣ３０とを備える。
【００３４】
ＨＤＭＩ端子３１には、ＴＶ受像機２と接続されたＨＤＭＩケーブル４の他端が接続される。ＨＤＭＩ端子３１は、ＴＶ受像機２から受信したＣＥＣコマンドやデータをメインＩＣ３０に転送する。また、ＨＤＭＩ端子３１は、ＣＥＣコマンドやコンテンツデータをＴＶ受像機２に送信する。
【００３５】
リモコン信号受信部３２は、リモコン５から受信した赤外線信号を電気信号に変換してメインＩＣ３０に転送する。ＢＤローダ３３は、コンテンツデータが格納されたＢＤディスクｄ２が内部に装着され、ＢＤディスクｄ２からコンテンツデータを読み出して、コンテンツデータをメインＩＣ３０に出力する処理を行う。
【００３６】
メインＩＣ３０は、コンテンツデータの再生を行う再生制御処理と、ＣＥＣコマンドによる通信を行う通信制御処理等を行う。また、メインＩＣ３０は、リモコン信号受信部３２から転送された電気信号に応じてＢＤプレーヤ３の装置各部を制御する。
【００３７】
メインＩＣ３０による再生制御処理は、ＢＤローダ３３から読み出されたコンテンツデータの再生を行い、再生されたコンテンツデータの映像信号及び音声信号を、ＨＤＭＩケーブル４を介してＴＶ受像機２に出力するものである。
【００３８】
メインＩＣ３０による通信制御処理は、ＴＶ受像機２に対して、ＨＤＭＩ−ＣＥＣ規格に基づくＣＥＣコマンド及びレスポンスデータの送受信や、コンテンツの映像信号及び音声信号の送信を行うものである。ＣＥＣコマンドには、ＴＶ受像機２に対して、ＢＤプレーヤ３が接続されているＨＤＭＩ端子から供給されたコンテンツデータを表示するように指示するものや、ＴＶ受像機２に対して受信待機モードから通常動作モードに動作モードを切り替える旨を指示するものがある。
【００３９】
次に、ＴＶ受像機２におけるディスク装着検出処理の手順について、図３乃至図５を参照して説明する。図３は、ディスク装着検出処理の手順を示すフローチャートである。図４は、ディスプレイ２４に表示されるディスク排出選択メッセージの一例を示し、図５は、ディスプレイ２４に表示されるディスク排出選択メッセージの別の例を示す。ここでは、ＢＤプレーヤ３のＢＤローダ３３にＢＤディスクｄ２が装着されており、ユーザがリモコン５を操作することによりＢＤプレーヤ３に再生指示が行われたものとする。また、ＴＶ受像機２は、受信待機モードで動作しているものとする。
【００４０】
まず、ＢＤプレーヤ３のメインＩＣ３０が、リモコン５から再生指示を受信すると（Ｓ１）、ＴＶ受像機２に対して電源オン（通常動作モードに移行）を指示するＣＥＣコマンドを送信するためのＣＥＣコマンド処理を行う（Ｓ２）。
【００４１】
そして、ＴＶ受像機２のメインＩＣ２０は、ＢＤローダ２６にＢＤディスクｄ１が装着されているか否かを検出し（Ｓ３）、この検出の結果、ＢＤディスクｄ１が装着されており（Ｓ４でＹＥＳ）、ディスプレイ２４が重畳映像を表示可能である場合（Ｓ５でＹＥＳ）、メインＩＣ２０は、ＢＤローダ２６を動作させてＢＤディスクｄ１から読み出したコンテンツデータの映像をディスプレイ２４の子画面に表示する（Ｓ６）。
【００４２】
そして、ＴＶ受像機２のメインＩＣ２０は、ＢＤローダ２６にＢＤディスクｄ１が装着されている旨を報知し、このＢＤディスクｄ１を排出するか否かの選択を促す旨のメッセージをディスプレイ２４に表示する（Ｓ７）。具体的には例えば、図４に示すように、「Ｄｉｓｋが入っているので排出しますか？」、「はい」、及び「いいえ」のメッセージをディスプレイ２４に表示する。このとき、ディスプレイ２４の子画面Ａには、ＢＤローダ２６に装着されているＢＤディスクｄ１のコンテンツデータの映像が表示される。一方、ディスプレイ２４が重畳映像を表示できない場合（Ｓ５でＮＯ）、上記Ｓ６の処理を行わないで、図６に示すように、「Ｄｉｓｋが入っているので排出しますか？」、「はい」、及び「いいえ」のメッセージのみをディスプレイ２４に表示する（Ｓ７）。
【００４３】
そして、ユーザによって「はい」が選択された場合（Ｓ８でＹＥＳ）、ＴＶ受像機２のメインＩＣ２０は、ＢＤローダ２６の搬送ローラ及び搬送ローラ駆動部を動作させてＢＤディスクｄ１を排出する（Ｓ９）そして、メインＩＣ２０は、ＢＤプレーヤ３に対してコンテンツデータの供給開始を要求する旨のＣＥＣコマンドを送信する（Ｓ１０）。一方、ユーザによって「いいえ」が選択された場合（Ｓ８でＮＯ）、ＴＶ受像機２のメインＩＣ２０は、上記Ｓ９の処理を行わないで、上記Ｓ１０の処理を行う。
【００４４】
一方、上記Ｓ３の結果、ＢＤローダ２６にＢＤディスクｄ１が装着されていない場合（Ｓ４でＮＯ）、ＴＶ受像機２のメインＩＣ２０は、上記Ｓ５〜上記Ｓ９の処理は行わないで、上記Ｓ１０の処理を行う。
【００４５】
次に、上記ＣＥＣコマンド処理の詳細について、図６に示すフローチャートを参照して説明する。
【００４６】
まず、ＢＤプレーヤ３のメインＩＣ３０が、ＴＶ受像機２に対して、ＢＤプレーヤ３と接続された、外部インタフェース２９のＨＤＭＩ端子から供給されるコンテンツデータをディスプレイ２４及びスピーカ２５から出力するよう指示するＣＥＣコマンドを送信する（Ｓ２１）。
【００４７】
ＴＶ受像機２のメインＩＣ２０は、上記Ｓ２１でＢＤプレーヤ３から送信されたＣＥＣコマンドを受信すると（Ｓ２２）、受信待機モードから通常動作モードに動作モードを移行（電源オン）する（Ｓ２３）。すなわち、メインＩＣ２０は、ＢＤプレーヤ３から供給されるコンテンツデータを出力可能な状態に移行する。
【００４８】
上述したように、本実施形態に係るＴＶ受像機２においては、ＢＤプレーヤ３によって供給されるＢＤディスクｄ２のコンテンツデータの映像を表示する旨のＣＥＣコマンドをＢＤプレーヤ３から受信したときに、ＢＤローダ２６にＢＤディスクｄ１が装着されていると検出された場合、ユ−ザに、ＢＤディスクｄ１がＢＤローダ２６に装着されている旨のメッセージをディスプレイ２４に表示して報知する。そのため、ユーザは、ＢＤプレーヤ３でＢＤディスクｄ２を再生する場合であっても、ＴＶ受像機２のＢＤローダ２６にＢＤディスクｄ１が装着されているか否かを知ることができるので、ＢＤディスクｄ１を探す手間を低減できる。また、ＴＶ受像機２のＢＤローダ２６に装着されたＢＤディスクｄ１の取り忘れを防止することができる。
【００４９】
また、ＴＶ受像機２のＢＤローダ２６にＢＤディスクｄ１が装着されていると検出された場合、このＢＤディスクｄ１を再生して、コンテンツデータの映像をディスプレイ２４に表示する。そのため、ユーザが、どのようなコンテンツが格納されたＢＤディスクがＢＤローダ２６に装着されているのか容易に確認することができるので、ユーザが、所望のコンテンツの格納されたＢＤディスクを探す手間をさらに低減できる。
【００５０】
また、ＴＶ受像機２とＢＤプレーヤ３とは、ＨＤＭＩ−ＣＥＣに従ったＣＥＣコマンドの送受信を行うので、独自プロトコルに対応した専用機器や専用ソフトウェア等の導入コストをかける必要がない。従って、ＴＶ受像機２の製造コストを抑制することができる。
【００５１】
なお、本発明は、上記実施形態の構成に限られず、発明の趣旨を変更しない範囲で種々の変形が可能である。例えば、上記実施形態において、請求項における光ディスクがＢＤディスクである例を示したが、これに限られず、ＣＤやＤＶＤのディスクであってもよい。
【００５２】
また、上記実施形態では、ＢＤディスクが装着されている場合、ＴＶ受像機のディスプレイにメッセージを表示してユーザに報知する例を示したが、これに限られず、その旨のメッセージの音声をスピーカから出力することによりユーザに報知してもよい。
【００５３】
また、上記実施形態では、請求項に示す外部再生機器がＢＤプレーヤである例を示したが、ＣＥＣコマンドを送受信可能であり、光ディスクを装着して再生可能なＡＶ機器であればよい。
【符号の説明】
【００５４】
２  ＴＶ受像機（映像表示機器）
３  ＢＤプレーヤ（外部再生機器）
２０  メインＩＣ（制御手段、ディスク装着検出手段）
２４  ディスプレイ（表示手段、報知手段）
２６  ＢＤローダ（ディスク装着部）
２９  外部インタフェース（送受信手段）
ｄ１  ＢＤディスク（光ディスク）
ｄ２  ＢＤディスク（光ディスク）
【図１】
2012119839.tif 000003
【図２】
2012119839.tif 000004
【図３】
2012119839.tif 000005
【図４】
2012119839.tif 000006
【図５】
2012119839.tif 000007
【図６】
2012119839.tif 000008